(57)【要約】【課題】静止画を鑑賞するのと同等の時間しか費やさないで、観察者による静止画の情景理解を深めること。【解決手段】画像ファイル生成装置１は、指示に応じて取得された第１フレーム画像と、第１フレーム画像より古い時点の画像であって、少なくとも第１フレーム画像と共通の主要被写体を含む第２フレーム画像と、第２フレーム画像より古い時点の画像であって、少なくとも主要被写体を含む第３フレーム画像とを、それぞれ関連づけた静止画像ファイルを生成する。【選択図】図１
2010245605.tif 000002
【特許請求の範囲】
【請求項１】
指示に応じて取得された第１フレーム画像と、
前記第１フレーム画像より古い時点の画像であって、少なくとも前記第１フレーム画像と共通の主要被写体を含む第２フレーム画像と、
前記第２フレーム画像より古い時点の画像であって、少なくとも前記主要被写体を含む第３フレーム画像とを、それぞれ関連づけた静止画像ファイルを生成することを特徴とする画像ファイル生成装置。
【請求項２】
請求項１に記載の画像ファイル生成装置において、
前記主要被写体は、動いている被写体であることを特徴とする画像ファイル生成装置。
【請求項３】
請求項１に記載の画像ファイル生成装置において、
前記第２フレーム画像および前記第３フレーム画像は、前記第１フレーム画像より解像度が低いことを特徴とする画像ファイル生成装置。
【請求項４】
請求項１に記載の画像ファイル生成装置において、
前記第２フレーム画像および前記第３フレーム画像は、前記主要被写体領域にぼかしが付加されることを特徴とする画像ファイル生成装置。
【請求項５】
請求項１に記載の画像ファイル生成装置において、
前記第２フレーム画像および前記第３フレーム画像における前記主要被写体領域以外の背景領域は、単色画像に置換されることを特徴とする画像ファイル生成装置。
【請求項６】
再生対象にする第１フレーム画像、前記第１フレーム画像より古い時点の画像であって、少なくとも前記第１フレーム画像と共通の主要被写体を含む第２フレーム画像、および前記第２フレーム画像より古い時点の画像であって、少なくとも前記主要被写体を含む第３フレーム画像がそれぞれ関連づけられている静止画像ファイルを再生する画像再生装置において、
再生指示に応じて、前記第３フレーム画像を表示装置に表示させ、
前記第３フレーム画像の表示後所定時間が経過すると前記第３フレーム画像に代えて前記第２フレーム画像を前記表示装置に表示させ、
前記第２フレーム画像の表示後前記所定時間が経過すると前記第２フレーム画像に代えて前記第１フレーム画像を前記表示装置に表示させ、
前記表示させた前記第１フレーム画像の表示を継続させることを特徴とする画像再生装置。
【請求項７】
請求項６に記載の画像再生装置において、
前記主要被写体は、動いている被写体であることを特徴とする画像再生装置。
【請求項８】
請求項６に記載の画像再生装置において、
前記第２フレーム画像および前記第３フレーム画像は、前記第１フレーム画像より解像度が低いことを特徴とする画像再生装置。
【請求項９】
請求項６に記載の画像再生装置において、
前記第２フレーム画像および前記第３フレーム画像は、前記主要被写体領域にぼかしが付加されていることを特徴とする画像再生装置。
【請求項１０】
請求項６に記載の画像再生装置において、
前記第２フレーム画像および前記第３フレーム画像における前記主要被写体領域以外の背景領域は、単色画像に置換されていることを特徴とする画像再生装置。
【発明の詳細な説明】
【技術分野】
【０００１】
本発明は、画像ファイル生成装置、およびその画像ファイルの再生装置に関する。
【背景技術】
【０００２】
スチル画像から映画のような短編の映像（ショートフィルム）を作成する技術が知られている（特許文献１参照）。
【先行技術文献】
【特許文献】
【０００３】
【特許文献１】特開２００５−２５７１５号公報
【発明の概要】
【発明が解決しようとする課題】
【０００４】
ショートフィルムでなくスチル画像を見て、被写体がどのように動いていたかを知りたいという要望がある。被写体の動きの一瞬をとらえたスチル画像では、動きの方向や速度を感じさせる情報が乏しい。このため、スチル画像を観察しても被写体の動きの向きを知ることは困難である。
【課題を解決するための手段】
【０００５】
請求項１に記載の発明による画像ファイル生成装置は、指示に応じて取得された第１フレーム画像と、第１フレーム画像より古い時点の画像であって、少なくとも第１フレーム画像と共通の主要被写体を含む第２フレーム画像と、第２フレーム画像より古い時点の画像であって、少なくとも主要被写体を含む第３フレーム画像とを、それぞれ関連づけた静止画像ファイルを生成することを特徴とする。
請求項６に記載の発明は、再生対象にする第１フレーム画像、第１フレーム画像より古い時点の画像であって、少なくとも第１フレーム画像と共通の主要被写体を含む第２フレーム画像、および第２フレーム画像より古い時点の画像であって、少なくとも主要被写体を含む第３フレーム画像がそれぞれ関連づけられている静止画像ファイルを再生する画像再生装置に適用され、再生指示に応じて、第３フレーム画像を表示装置に表示させ、第３フレーム画像の表示後所定時間が経過すると第３フレーム画像に代えて第２フレーム画像を表示装置に表示させ、第２フレーム画像の表示後所定時間が経過すると第２フレーム画像に代えて第１フレーム画像を表示装置に表示させ、表示させた第１フレーム画像の表示を継続させることを特徴とする。
【発明の効果】
【０００６】
本発明によれば、静止画を鑑賞するのと同等の時間しか費やさないで、観察者による静止画の情景理解を深められる。
【図面の簡単な説明】
【０００７】
【図１】本発明の一実施の形態による電子カメラシステムを説明する図である。
【図２】電子カメラの要部構成を説明するブロック図である。
【図３】撮影モード処理の流れを説明するフローチャートである。
【図４】エフェクト再生処理の流れを説明するフローチャートである。
【図５】エフェクト再生用ファイル生成処理の流れを説明するフローチャートである。
【発明を実施するための形態】
【０００８】
以下、図面を参照して本発明を実施するための形態について説明する。
＜ファイル再生装置＞
図１は、本発明の一実施の形態による電子カメラシステムを説明する図である。電子カメラシステムは、電子カメラ１とパーソナルコンピュータ（以下ＰＣと呼ぶ）１００とで構成される。ＰＣ１００にファイル再生プログラムをローディングし、当該プログラムを実行させることによってＰＣ１００をファイル再生装置として使用する。ＰＣ１００へのプログラムのローディングは、プログラムを格納した記録媒体１０４をＰＣ１００にセットして行ってもよいし、通信回線１０１を経由する方法でＰＣ１００へローディングしてもよい。
【０００９】
通信回線１０１を経由する場合は、通信回線１０１に接続されたサーバー（コンピュータ）１０２のハードディスク装置１０３などにプログラムを格納しておく。ファイル再生プログラムは、記録媒体１０４や通信回線１０１を介する提供など、種々の形態のコンピュータプログラム製品として供給することができる。ＰＣ１００は、ＣＰＵ（不図示）およびその周辺回路（不図示）から構成され、インストールされたプログラムを実行する。
【００１０】
ＰＣ１００は電子カメラ１との間で通信可能に構成される。電子カメラ１およびＰＣ１００間の通信は、図１のようにケーブルを用いた有線通信でも、不図示の無線端末を介する無線通信でもよい。
【００１１】
＜電子カメラ＞
電子カメラ１の詳細について説明する。電子カメラ１は、撮影モードと再生モードとが切替え可能に構成される。撮影モードは、被写体像を撮影し、撮影画像のデータをメモリカードなどで構成される記録媒体（図２の符号４０）に画像ファイルとして記録する動作モードである。本実施形態では、撮影指示に応じて取得した画像に加えて、撮影指示前に取得した画像も記録媒体４０に記録される。画像ファイルの生成・記録についての詳細は後述する。
【００１２】
再生モードは、指示された画像ファイルのデータを記録媒体４０から読出すなどして、該画像データによる再生画像をＬＣＤパネル（図２の符号１４）に表示させるモードである。
【００１３】
図２は、電子カメラ１の要部構成を説明するブロック図である。図２において、被写体像は撮影レンズ１０によって撮像素子１１の撮像面上に結像される。撮像素子１１は、ＣＣＤイメージセンサまたはＣＭＯＳイメージセンサなどによって構成される。撮像素子１１は、被写体像を光電変換してアナログ画像信号を生成する。
【００１４】
アナログ画像信号は画像処理回路１２へ入力される。画像処理回路１２は、相関二重サンプリングやゲイン調整などのアナログ処理を施す。アナログ処理後の画像信号は、Ａ／Ｄ変換回路（不図示）によってデジタル画像データに変換される。画像処理回路１２はさらに、デジタル画像データに対して所定の画像処理（色補間処理、階調変換処理、輪郭強調処理、ホワイトバランス調整処理など）を施す。画像処理後の画像データは、圧縮／伸長回路１７によってJPEG圧縮処理されてＳＤＲＡＭ１６へ記録される。ＳＤＲＡＭ１６へは、画像処理前後や画像処理中のデータも一時的に記録される。
【００１５】
ＣＰＵ１５は、JPEG圧縮コードをＳＤＲＡＭ１６から読み出し、所定の付属情報(メタデータ)と共に画像ファイル(JPEGファイル)として記録媒体４０に記録することにより、撮影処理を完了する。記録媒体４０は電子カメラ１に対して着脱自在に構成される。ＣＰＵ１５は、メモリカードコントローラ１９を介して記録媒体４０に対するデータの記録、および記録媒体４０に記録されているデータの読み出しを行う。
【００１６】
ＣＰＵ１５は、再生モード時に記録媒体４０に記録されているJPEGコードを含む画像ファイルを読み出し、圧縮／伸長回路１７によって伸長処理させ、さらに画像処理回路１２に適切なサイズまで解像度変換を行わせてＳＤＲＡＭ１６へ一時記録させる。Displayコントローラ１３は、ＣＰＵ１５からの指示に応じてＳＤＲＡＭ１６から画像データを読み出し、該画像データに基づいて表示用のデータを生成する。電子カメラ１の背面に配設されているＬＣＤパネル１４は、表示用データによる再生画像を表示する。
【００１７】
ＣＰＵ１５は、撮影モード時にＬＣＤパネル１４をビューファインダーとして動作させる。デジタル画像データに対する圧縮処理をしないで表示用のデータを生成することにより、被写体のモニタ用画像（スルー画像）をＬＣＤパネル１４に表示する。
【００１８】
ＵＳＢコントローラ１８は、外部機器（たとえば、ＰＣ１００）との間で所定の通信を行う。電子カメラ１は、ＵＳＢコントローラ１８を介して外部機器へ画像ファイルを転送する。画像ファイル転送として、画像ファイルの複製や画像ファイルの移動が可能である。
【００１９】
ＣＰＵ１５は、内蔵する不揮発性メモリ（不図示）に記憶するプログラムを実行することにより、電子カメラ１が行う動作を制御する。ＣＰＵ１５は、各ブロックから出力される信号を入力して所定の演算を行い、演算結果に基づく制御信号を各ブロックへ出力する。
【００２０】
操作部材２０は、不図示のレリーズボタンの押下操作に連動してオン／オフする半押しスイッチならびに全押しスイッチの他、メニュースイッチなどを含む。操作部材２０は、各操作に応じた操作信号をＣＰＵ１５へ送出する。
【００２１】
本実施形態は、エフェクト再生処理に特徴を有するので、エフェクト再生処理を中心に以下の説明を行う。エフェクト再生は、後述するエフェクト再生用の画像ファイルを用いて、複数コマの画像のデータによる再生画像をアニメーションのように順次表示させる。たとえば、モーションＪＰＥＧによって撮影指示前の画像を表示後、撮影指示に応じて取得された画像を表示する。
【００２２】
＜エフェクト再生用の画像ファイル生成＞
電子カメラ１のＣＰＵ１５は、操作部材２０からの操作信号によって撮影モードへの切替えが指示されると撮影モードに切り替え、図３に例示する処理を繰り返し実行する。図３は、撮影モード処理の流れを説明するフローチャートである。図３のステップＳ１において、ＣＰＵ１５は、撮像素子１１に対するスルー画用の駆動制御を開始させてステップＳ２へ進む。これにより、撮像素子１１がスルー画像データの取得を開始する。スルー画像は、撮影指示前に取得するモニタ用画像のことをいう。ＣＰＵ１５は、後述する半押しスイッチＳＷ１がオン操作されるまで、スルー画像の取得および該スルー画像のＬＣＤパネル１４への表示を繰り返すように構成されている。
【００２３】
ステップＳ２において、ＣＰＵ１５は半押しスイッチＳＷ１がオンされたか否かを判定する。半押しスイッチＳＷ１は、操作部材２０を構成し、レリーズボタン（不図示）の押下操作に連動してオン操作信号をＣＰＵ１５へ出力する。半押しスイッチＳＷ１からの半押し操作信号は、レリーズボタンが通常ストロークの半分程度まで押し下げ操作されると出力され、半ストロークの押し下げ操作解除で半押し操作信号出力が解除される。ＣＰＵ１５は、半押しスイッチＳＷ１から半押し操作信号が入力された場合にステップＳ２を肯定判定してステップＳ３へ進む。ＣＰＵ１５は、半押しスイッチＳＷ１から半押し操作信号が入力されない場合には、ステップＳ２を否定判定して当該判定処理を繰り返す。
【００２４】
ステップＳ３において、ＣＰＵ１５はＳＤＲＡＭ１６に対するスルー画像データの蓄積を開始させてステップＳ４へ進む。これにより、たとえば、３０フレーム／毎秒のフレームレートで取得されるスルー画像のうち、直近の所定フレーム数（たとえば３フレーム分）のスルー画像のデータがＳＤＲＡＭ１６に上書き保存される。
【００２５】
ステップＳ４において、ＣＰＵ１５は所定のＡＦ（オートフォーカス）調節処理を行ってステップＳ５へ進む。ステップＳ５において、ＣＰＵ１５は、測光処理を行なってステップＳ６へ進む。測光処理は、撮像素子１１で取得された撮像信号に基づいて、シャッター秒時および絞り値を演算するものである。
【００２６】
ステップＳ６において、ＣＰＵ１５は全押しスイッチＳＷ２がオンされたか否かを判定する。全押しスイッチＳＷ２は、操作部材２０を構成し、レリーズボタン（不図示）の押下操作に連動してオン操作信号をＣＰＵ１５へ出力する。全押しスイッチＳＷ２からの全押し操作信号は、レリーズボタンが通常ストロークまで押し下げ操作されると出力され、通常ストロークの押し下げ操作が解除で全押し操作信号出力が解除される。ＣＰＵ１５は、全押しスイッチＳＷ２から全押し操作信号が入力された場合にステップＳ６を肯定判定してステップＳ７へ進む。ＣＰＵ１５は、全押しスイッチＳＷ２から全押し操作信号が入力されない場合には、ステップＳ６を否定判定してステップＳ１４へ進む。
【００２７】
ステップＳ１４において、ＣＰＵ１５は、半押しスイッチＳＷ１がオンされているか否かを判定する。ＣＰＵ１５は、半押しスイッチＳＷ１から継続して半押し操作信号が入力されている場合にステップＳ１４を肯定判定してステップＳ１５へ進む。ＣＰＵ１５は、半押しスイッチＳＷ１から半押し操作信号が入力されていない場合には、ステップＳ１４を否定判定してステップＳ１３へ進む。
【００２８】
ステップＳ１５において、ＣＰＵ１５はＡＦサーボ設定内容を判定する。ＣＰＵ１５は、ＡＦサーボとしてＡＦ−Ｃモードが設定されている場合にステップＳ１５を肯定判定してステップＳ４へ戻る。ＡＦ−Ｃモードは、ＡＦ調節処理を繰り返し行うモードである。一方ＣＰＵ１５は、ＡＦサーボとしてＡＦ−Ｓモードが設定されている場合にステップＳ１５を否定判定してステップＳ６へ戻る。ＡＦ−Ｓモードは、たとえばＡＦ調節処理を１回のみ行い、そのフォーカス調節状態を保持する（ＡＦロック）モードである。ＡＦサーボの選択は、ユーザによってあらかじめ設定操作部材２０の操作によって行われる。
【００２９】
上述したステップＳ６を肯定判定して進むステップＳ７において、ＣＰＵ１５は、撮像素子１１に対する撮影用の駆動制御を開始させてステップＳ８へ進む。ステップＳ８において、ＣＰＵ１５は、撮像素子１１の蓄積時間がシャッター秒時に対応する時間に達すると撮像素子１１に対する駆動制御を終了させてステップＳ９へ進む。
【００３０】
ステップＳ９において、ＣＰＵ１５は、画像データに対する所定の画像処理を行わせてステップＳ１０へ進む。画像処理回路１２は、ＳＤＲＡＭ１６に蓄積されている画像データのうち、全押しスイッチＳＷ２のオン操作に応じて取得された撮影画像（ｋ）、撮影画像の１つ前に取得されたスルー画像（ｋ−１）、撮影画像の２つ前に取得されたスルー画像（ｋ−２）に対し、それぞれ所定の画像処理（色補間処理、階調変換処理、輪郭強調処理、ホワイトバランス調整処理など）を施す。
【００３１】
画像処理後のステップＳ１０において、ＣＰＵ１５は、画像データに対する所定のフィルタ処理を行わせてステップＳ１１へ進む。画像処理回路１２は、ＳＤＲＡＭ１６に蓄積されている画像データのうち、スルー画像（ｋ−１）およびスルー画像（ｋ−２）に対し、所定周波数以上の信号成分を除去するローパスフィルタ処理を施す。これにより、スルー画像（ｋ−１）およびスルー画像（ｋ−２）に、いわゆる「ぼかし」が加えられる。
【００３２】
ぼかし処理後のステップＳ１１において、ＣＰＵ１５は、画像データに対する圧縮処理を行わせてステップＳ１２へ進む。圧縮／伸長回路１７は、ＳＤＲＡＭ１６に蓄積されている画像処理後の画像データのうち、撮影画像（ｋ）、スルー画像（ｋ−１）、スルー画像（ｋ−２）に対し、それぞれＪＰＥＧ圧縮処理を施す。
【００３３】
画像圧縮処理後のステップＳ１２において、ＣＰＵ１５は、エフェクト再生用画像ファイルの生成・記録処理を行なってステップＳ１３へ進む。具体的には、ＪＰＥＧ圧縮後の画像をモーションＪＰＥＧのフォーマットに収納した画像ファイルを記録媒体４０に記録させる。ステップＳ１３において、ＣＰＵ１５は、撮像素子１１に対する駆動制御を終了させてステップ図３による処理を終了する。
【００３４】
＜エフェクト再生＞
ファイル再生プログラムがローディングされたＰＣ１００は、当該ファイル再生プログラムを実行することによってファイル再生装置として動作する。図４は、ＰＣ１００のＣＰＵが行うエフェクト再生処理の流れを説明するフローチャートである。図４のステップＳ２０１において、ＣＰＵは、ＰＣ１００のストレージ装置内に記録されているエフェクト再生用の各画像ファイルからサムネイル画像を読み込んでステップＳ２０２へ進む。サムネイル画像は、上述した撮影画像（ｋ）に対応するものを読み込む。なお、ＰＣ１００のストレージ装置内に記録されているエフェクト再生用の画像ファイルに限らず、図１のように接続されている電子カメラ１に実装されている記録媒体に記録されているエフェクト再生用の画像ファイルを読み込むようにしてもよい。
【００３５】
ステップＳ２０２において、ＣＰＵは、ＰＣ１００のモニタにサムネイル画像を並べて表示（リスト表示）させてステップＳ２０３へ進む。ステップＳ２０３において、ＣＰＵは、再生表示すべき画像ファイルが指示されたか否かを判定する。ＣＰＵは、キーボードなどからの操作信号によって画像ファイルの選択指示を受け付けると、ステップＳ２０３を肯定判定してステップＳ２０４へ進む。ＣＰＵは、画像ファイルの選択指示を受け付けていない場合にはステップＳ２０３を否定判定し、当該判定処理を繰り返す。
【００３６】
ステップＳ２０４において、ＣＰＵは、指示された画像ファイルをストレージ装置内から読み出し、JPEG圧縮コードに対する伸長処理を施してステップＳ２０５へ進む。これにより、画像ファイル内の撮影画像（ｋ）、スルー画像（ｋ−１）およびスルー画像（ｋ−２）がそれぞれ伸長処理される。
【００３７】
ステップＳ２０５において、ＣＰＵは、前々コマ（スルー画像（ｋ−２）に対応）の画像データによる再生画像をＰＣ１００のモニタに表示させてステップＳ２０６へ進む。ステップＳ２０６において、ＣＰＵは、前コマ（スルー画像（ｋ−１）に対応）の画像データによる再生画像をＰＣ１００のモニタに表示させてステップＳ２０７へ進む。
【００３８】
ステップＳ２０７において、ＣＰＵは、当該コマ（撮影画像（ｋ）に対応）の画像データによる再生画像をＰＣ１００のモニタに表示させて、図４による処理を終了する。ステップＳ２０５〜Ｓ２０７の表示処理により、スルー画像（ｋ−２）、スルー画像（ｋ−１）、撮影画像（ｋ）の順にモニタ画面の表示が切り替わる。表示切り替えのフレームレートは、撮影時のフレームレート（本例では３０フレーム／毎秒）と同じでなくてもよいが、少なくとも１０フレーム／毎秒より速くする。
【００３９】
以上説明した実施形態によれば、次の作用効果が得られる。
（１）撮影指示に応じて取得された撮影画像（ｋ）と、撮影画像（ｋ）より古い時点の画像であって、少なくとも撮影画像（ｋ）と共通の主要被写体を含むスルー画像（ｋ−１）と、スルー画像（ｋ−１）より古い時点の画像であって、少なくとも主要被写体を含むスルー画像（ｋ−２）とを、それぞれ関連づけた静止画像ファイルを生成するようにした。これにより、当該静止画像ファイルを再生すると、ショートフィルムのような再生時間をかけることなく、静止画像（ｋ）に撮影されている被写体の過去の動きを観察者に暗示して、情景理解を助けることができる。
【００４０】
（２）撮影画像（ｋ）より古い時点の画像としてスルー画像（ｋ−１）およびスルー画像（ｋ−２）を用いた。スルー画像は本画像（撮影画像）に比べて解像度が低いので、全てを本画像で構成する場合よりも静止画像ファイル全体のデータサイズをコンパクトに収めることができる。
【００４１】
（３）スルー画像（ｋ−１）およびスルー画像（ｋ−２）の主要被写体領域にぼかしを付加したので、主要被写体の過去の動きを暗示する際に、該暗示の程度を抑える（必要以上に目立たせない）ことができる。
【００４２】
（変形例１）
ステップＳ１０のフィルタ処理において、スルー画像（ｋ−１）に加える「ぼかし」よりスルー画像（ｋ−２）に加える「ぼかし」を大きくしてもよい。具体的には、スルー画像（ｋ−２）に対するローパスフィルタ処理の遮断周波数を、スルー画像（ｋ−１）に対するローパスフィルタ処理の遮断周波数より低くする。
【００４３】
（変形例２）
スルー画像（ｋ−１）にフィルタ処理を施した画像、およびスルー画像（ｋ−２）にフィルタ処理を施した画像のそれぞれに基づいてサムネイルサイズの画像を生成し、これらのサムネイル画像を撮影画像（ｋ）の画像ファイル内のサムネイルデータ領域に保存してもよい。これにより、エフェクト再生用の画像ファイルを通常のＪＰＥＧファイル１つ分のデータサイズに収めることができる。
【００４４】
（変形例３）
スルー画像（ｋ−１）にフィルタ処理を施した画像、およびスルー画像（ｋ−２）にフィルタ処理を施した画像のデータは、撮影画像（ｋ）の画像ファイルとの間に張ったリンク先の領域に保存してもよい。
【００４５】
（変形例４）
＜ＰＣによるエフェクト再生用のファイル生成＞
エフェクト再生用のファイル生成は、電子カメラ１で生成する代わりに、ファイル生成プログラムを実行するＰＣ１００で行ってもよい。ファイル生成プログラムがローディングされたＰＣ１００は、当該ファイル生成プログラムを実行することによってファイル生成装置として動作する。図５は、ＰＣ１００のＣＰＵが行うエフェクト再生用ファイル生成処理の流れを説明するフローチャートである。
【００４６】
図５のステップＳ１０１において、ＣＰＵは、ＰＣ１００のストレージ装置内に記録されているエフェクト再生用でない通常の画像ファイルからサムネイル画像を読み込んでステップＳ１０２へ進む。なお、ＰＣ１００のストレージ装置内に記録されている画像ファイルに限らず、図１のように接続されている電子カメラ１に実装されている記録媒体４０に記録されている画像ファイルからサムネイル画像を読み込むように構成してもよい。
【００４７】
ステップＳ１０２において、ＣＰＵは、ＰＣ１００のモニタにサムネイル画像を並べて表示させてステップＳ１０３へ進む。ステップＳ１０３において、ＣＰＵは、エフェクト再生用の画像ファイルを生成すべき画像ファイルが指示されたか否かを判定する。ＣＰＵは、キーボードなどからの操作信号によって画像ファイルの選択指示を受け付けると、ステップＳ１０３を肯定判定してステップＳ１０４へ進む。ＣＰＵは、画像ファイルの選択指示を受け付けていない場合にはステップＳ１０３を否定判定し、当該判定処理を繰り返す。
【００４８】
ステップＳ１０４において、ＣＰＵは、モニタに並べて表示中のサムネイル画像の中から、選択指示されたサムネイル画像に類似するサムネイル画像を探す。ＣＰＵは、画像ファイルのタグ情報を参照することにより、撮影日時および撮影条件（撮影時の焦点距離、露出条件など）が合致するものを所定数（本例では２つ）選んでステップＳ１０５へ進む。なお、ＰＣ１００のストレージ装置内に記録されている画像ファイルは、連続撮影された画像ファイルを含むものとする。
【００４９】
ステップＳ１０５において、ＣＰＵは、ステップＳ１０３において指示された画像ファイル、およびステップＳ１０４において選択された画像ファイルをそれぞれストレージ装置内から読み出し、読み出した画像ファイルに記録されているJPEG圧縮コードに対する伸長処理を施してステップＳ１０６へ進む。これにより、画像ファイル内の画像（ｍ）、画像（ｍ−１）および画像（ｍ−２）がそれぞれ伸長処理される。なお、ステップＳ１０３で指示された画像ファイルから伸長した画像を画像（ｍ）とし、ステップＳ１０４で選択された画像ファイルから伸長した画像のうち撮影日時が古い方を画像（ｍ−２）、新しい方を画像（ｍ−１）とする。この場合の撮影順序は古い方から画像（ｍ−２）、画像（ｍ−１）、画像（ｍ）となる。
【００５０】
ステップＳ１０６において、ＣＰＵは、各画像のデータに対する所定のフィルタ処理を行わせてステップＳ１０７へ進む。具体的には、画像（ｍ−１）および画像（ｍ−２）に対し、所定周波数以上の信号成分を除去するローパスフィルタ処理を施す。これにより、画像（ｍ−１）および画像（ｍ−２）に、いわゆる「ぼかし」が加えられる。
【００５１】
ぼかし処理後のステップＳ１０７において、ＣＰＵは、画像データに対する圧縮処理を行なってステップＳ１０８へ進む。これにより、画像（ｍ−１）、画像（ｍ−２）に対してそれぞれＪＰＥＧ圧縮処理が施される。なお、画像（ｍ）に対する圧縮処理は、既にJPEG圧縮コードが存在するため不要である。
【００５２】
（変形例５）
ＰＣ１００でエフェクト再生する代わりに、電子カメラ１によってエフェクト再生を行うように構成してもよい。この場合には、電子カメラ１において通常の再生モードとエフェクト再生モードとが選択可能に構成される。通常の再生モードは、操作部材２０によって指示された画像データを記録媒体４０から読出すなどして、該画像データによる再生画像をＬＣＤパネル（図２の符号１４）に表示させるモードである。
【００５３】
エフェクト再生モードは操作部材２０によって指示された画像データ（エフェクト再生用の画像ファイル）を記録媒体４０から読出すなどして、再生画像をＬＣＤパネル（図２の符号１４）にアニメーションのように順次表示させるモードである。上述したように、モーションＪＰＥＧによって撮影指示前の再生画像を順次表示後、指示された再生画像を表示させる。
【００５４】
（変形例６）
エフェクト再生する場合において、画像（ｍ−１）および画像（ｍ−２）について、フレーム間の変化が所定量より小さい領域をブラックアウトさせてもよい。たとえば、画像（ｍ−１）の場合は、画像（ｍ）との間でフレーム間の変化量が所定値未満の領域を黒データに置換する。また、画像（ｍ−２）の場合は、画像（ｍ−１）との間でフレーム間の変化量が所定値未満の領域を黒データに置換する。このようにエフェクト再生用ファイルをエフェクト再生すれば、主要被写体を除く背景を見せないことによって、観察者に被写体の動きを暗示させることができる。
【００５５】
なお、ブラックアウトに限らず、他の色による単色画像によって背景領域を置換してもよい。
【００５６】
以上の説明はあくまで一例であり、上記の実施形態の構成に何ら限定されるものではない。
【符号の説明】
【００５７】
１…電子カメラ
１５…ＣＰＵ
１８…ＵＳＢコントローラ
２０…操作部材
１００…ＰＣ
【図１】
2010245605.tif 000003
【図２】
2010245605.tif 000004
【図３】
2010245605.tif 000005
【図４】
2010245605.tif 000006
【図５】
2010245605.tif 000007